(57)【要約】      （修正有）【課題】取付位置を縦方向に位置調整してヘッドバンドに確実に保持できるとともに、医療用ルーペの交換を可能とした取付機構を提供する。【解決手段】取付基板１とルーペ取付具２１とからなり、取付基板１は、ルーペ取付具２１をスライド可能に保持する保持部と、ルーペ取付具２１を係止する係止部材４をルーペ取付具保持面側に突出するよう弾発支持する弾発支持部５，６，９と、ヘッドバンド３１に固定するとともにルーペ取付具２１のスライド範囲を規制するための固定部１１，１２を備える一方、ルーペ取付具２１は、取付基板１の保持部に保持されてスライドをガイドするガイド部と、係止部材４が突入して位置決めする複数の位置決め部２３ｂと、固定部１２と係合してスライドを阻止するスライド阻止部２４と、ルーペを取り付けるルーペ取付部２５，２６を備えている。【選択図】図１０
0003158148.tif 000002
【実用新案登録請求の範囲】
【請求項１】
ヘッドバンドに固定される取付基板と、この取付基板に着脱可能に支持されるルーペ取付具とからなり、前記取付基板は、前記ルーペ取付具をスライド可能に保持する保持部と、前記ルーペ取付具を係止する係止部材をルーペ取付具保持面側に突出するよう弾発支持する弾発支持部と、ヘッドバンドに固定するとともにルーペ取付具のスライド範囲を規制するための固定部を備える一方、前記ルーペ取付具は、前記取付基板の保持部に保持されてスライドをガイドするガイド部と、前記係止部材を係止して前記ルーペ取付具の前記取付基板に対する位置決めをする複数の位置決め部と、前記固定部と係合して前記ルーペ取付具のスライドを阻止するスライド阻止部と、ルーペを取り付けるルーペ取付部を備えてなることを特徴とする医療用ルーペの取付機構。
【請求項２】
前記取付基板の保持部は、基板本体の左右各側部に設けた一対の保持溝から構成し、前記弾発支持部は、係止部材たるボールをルーペ取付具保持面側には脱却不能に保持する保持孔と、前記ボールをルーペ取付具保持面側に弾発する板バネと、この板バネを前記基板本体に固定する固定ネジとから構成し、固定部は、前記基板本体の下部に設けたネジ筒とヘッドバンド裏面から前記基板本体のルーペ取付具保持面側に突出するよう前記ネジ筒に螺合する取付ネジで構成する一方、前記ルーペ取付具のガイド部は、取付具本体の左右各側部に設けた前記保持溝に嵌合する一対の突縁で構成し、前記位置決め部は取付具本体の上端から連続形成した複数の球面状凹部で構成し、スライド阻止部は、取付具本体下端から前記球面状凹部に向けて設けた前記取付ネジ先端が突入して上端縁に係合すると下端方向へのスライドを阻止する平面逆Ｕ字状の輪郭を有する係合凹部で構成し、ルーペ取付部は、取付具本体のスライド面とは反対面側に設けた取付ブロックに取付孔を設けて構成したことを特徴とする請求項１記載の医療用ルーペの取付機構。
【考案の詳細な説明】
【技術分野】
【０００１】
本考案は、外科医等が手術の際に使用する医療用ルーペをヘッドバンドに着脱可能に取り付ける取付機構に関する。
【背景技術】
【０００２】
従来、医療用ルーペを眼鏡に着脱可能に取り付ける機構は知られている（例えば特許文献１）が、ヘッドバンドに着脱可能に取り付ける簡便な機構は知られていなかった。
【先行技術文献】
【特許文献】
【０００３】
【特許文献１】特開２００６−１１２０８号公報
【考案の概要】
【考案が解決しようとする課題】
【０００４】
このため、従来においては、医療用ルーペは重いため、特に長時間使用する場合には、眼鏡よりもヘッドバンドに取り付けて使用する方が疲労度は軽減されるのであるが、ヘッドバンドを使用する場合は、医療用ルーペは固定的に取り付けられているため、使用者毎に専用化されてしまい、医療用ルーペを取り替えて共用することはできなかった。本考案は、このような事情に鑑みてなされたもので、医療用ルーペをヘッドバンドに着脱可能に取り付ける取付機構を提供することを目的とする。
【課題を解決するための手段】
【０００５】
この目的を達成するため、本考案に係る医療用ルーペの取付機構は、ヘッドバンドに固定される取付基板と、この取付基板に着脱可能に支持されるルーペ取付具とからなり、前記取付基板は、前記ルーペ取付具をスライド可能に保持する保持部と、前記ルーペ取付具を係止する係止部材をルーペ取付具保持面側に突出するよう弾発支持する弾発支持部と、ヘッドバンドに固定するとともにルーペ取付具のスライド範囲を規制するための固定部を備える一方、前記ルーペ取付具は、前記取付基板の保持部に保持されてスライドをガイドするガイド部と、前記係止部材を係止して前記ルーペ取付具の前記取付基板に対する位置決めをする複数の位置決め部と、前記固定部と係合して前記ルーペ取付具のスライドを阻止するスライド阻止部と、ルーペを取り付けるルーペ取付部を備えてなるものである。
【０００６】
また、上述の取付基板の保持部は、基板本体の左右各側部に設けた一対の保持溝から構成し、弾発支持部は、係止部材たるボールをルーペ取付具保持面側には脱却不能に保持する保持孔と、前記ボールをルーペ取付具保持面側に弾発する板バネと、この板バネを基板本体に固定する固定ネジとから構成し、固定部は、前記基板本体の下部に設けたネジ筒と、ヘッドバンド裏面から基板本体のルーペ取付具保持面側に突出するよう前記ネジ筒に螺合する取付ネジで構成する一方、ルーペ取付具のガイド部は、取付具本体の左右各側部に設けた前記保持溝に嵌合する一対の突縁で構成し、位置決め部は取付具本体の上端から下方へ向けて連続形成した複数の球面状凹部で構成し、スライド阻止部は、取付具本体下端から前記球面状凹部へ向けて設け、前記取付ネジ先端が突入して上端縁に係合すると下端方向へのスライドを阻止する平面逆Ｕ字状の輪郭を有する係合凹部から構成し、ルーペ取付部は、取付具本体のスライド面とは反対面側に設けた取付ブロックに取付孔を設けて構成すると好適である。
【考案の効果】
【０００７】
本考案に係る医療用ルーペの取付機構によれば、医療用ルーペの取付位置を縦方向に位置調整してヘッドバンドに確実に保持できるとともに、医療用ルーペの交換使用が可能となるという効果を奏する。
【図面の簡単な説明】
【０００８】
【図１】取付基板を示す正面図。
【図２】図１のＡ−Ａ線断面図。
【図３】図１のＢ−Ｂ線断面図。
【図４】取付基板にボールを板バネで支持した状態を示す断面図。
【図５】ルーペ取付具を示す背面図。
【図６】同じく側面図。
【図７】図５のＣ−Ｃ線断面図。
【図８】図５のＤ−Ｄ線断面図。
【図９】本考案に係る取付機構を３組用いて医療用ルーペとライトをヘッドバンドに取り付けた使用状態を示す斜視図。
【図１０】同じく取付状態を示す断面図。
【考案を実施するための形態】
【０００９】
以下、本考案の好適な実施形態を添付図面に基づいて説明する。本考案に係る医療用ルーペの取付機構は、図９及び図１０に示すように、ヘッドバンド３１に固定される取付基板１と、この取付基板に着脱可能に支持されるルーペ取付具２１とからなる。前記取付基板１は、図１〜図４に示すように、基板本体２の正面（ルーペ取付具保持面）側における左右両側に断面Ｌ字状の折曲部２ａ，２ｂを形成し、保持部たる一対の保持溝３ａ，３ｂを設けている。
【００１０】
次に、弾発支持部について説明する。図１〜図４に示すように、基板本体２の上部には、係止部材たるボール４を正面側には脱却不能に保持すべく正面側を縮径した保持孔たる円孔５を厚み方向に透設してある。また、前記基板本体２の背面側には、前記ボール４を正面側に弾発して、前記円孔５からの脱却を阻止する板バネ６を配置する凹部７を設けている。前記板バネ６は、図２に示す、前記基板本体２の上下方向ほぼ中央に、厚み方向に透設した内周面に雌ネジ８ａを刻設してなるネジ孔８に、図４に示す、固定ネジ９を螺合して固定されるもので、板バネ６の下部には前記固定ネジ９が挿通する透孔を設けている。
【００１１】
次に、固定部について説明する。図１〜図４に示すように、基板本体２の下部には、背面に突出部１０を突設し、ここに内周面に雌ネジ１１ａを刻設してなるネジ筒１１を、厚み方向に前記突出部１０側に突出するよう設けている。そして、ヘッドバンド３１とその固定板３２に設けた取付孔３３に前記ネジ筒１１を嵌入した状態で、ワッシャ３４を介して前記ネジ筒１１に取付ネジ１２を螺合して、図１０に示すように、取付基板２をヘッドバンド３１に固定するよう構成している。
【００１２】
続いて、ルーペ取付具２１について説明する。図５〜図７に示すように、取付具本体２２の左右各側部には、取付基板１の保持溝３ａ，３ｂに嵌合するガイド部たる一対の突縁２２ａ，２２ｂを上下方向全長に及ぶよう設けている。また、図５，図７及び図８に示すように、取付具本体２２の背面（スライド面）側には、取付基板１のボール４が突入することでルーペ取付具２１の前記取付基板１に対する上下方向の位置を決める、位置決め部たる上端から連続する５個の球面状凹部２３ａ，２３ｂ，２３ｃ，２３ｄ，２３ｅを設けている。
【００１３】
同じく、図５，図７及び図８に示すように、取付具本体２２の背面側には、最下位の球面状凹部２３ｅから取付具本体２２下端に向けて、スライド阻止部たる平面逆Ｕ字状の輪郭を有する係合凹部２４を設けている。この係合凹部２４に取付基板１の取付ネジ１２先端が突入して、上端縁に係合すると、ルーペ取付具２１の下端方向へのスライドが阻止される。また、ルーペ取付部は、図６〜図８に示すように、取付具本体２２の正面側の下部に取付ブロック２５を一体的に設け、この取付ブロック２５の両側には台座２５ａ，２５ｂを設け、これら台座２５ａ，２５ｂ部分を貫通する取付孔２６を設けて構成している。
【００１４】
続いて、上述した取付基板１とルーペ取付具２１からなる取付機構を３組用いて医療用のルーペとライトをヘッドバンド３１に取り付ける手順を説明する。まず、取付基板１を、ボール４を背面側から円孔５内に挿入し、板バネ６を固定ネジ９で所定状態に固定し、前記ボール４を前記円孔５内に保持した状態（図４状態）とする。
【００１５】
この図４状態にある取付基板１を、図１０に示すように、ヘッドバンド３１とその固定板３２に設けた取付孔３３に、前記取付基板１のネジ筒１１を固定板３２側から嵌入し、ワッシャ３４を介して前記ネジ筒１１に取付ネジ１２を螺合して、基板本体２をヘッドバンド３１に固定する。この時、前記取付ネジ１２の先端は、ネジ筒１１から若干突出した状態となる。このようにして、図９に示すように、３個の取付基板１をヘッドバンド３１に固定する。ここにおいて、両側の２個の取付基板１がルーペ取付用で、中央の取付基板１がライト取付用である。なお、前記両側の２個の取付基板１の間隔は、取付け対象であるルーペ４１をルーペ取付具２１に取付けた際の前記ルーペ取付具２１の位置に対応するよう設定する。
【００１６】
一方、ルーペ取付具２１には、ルーペ４１の基部４２の一側のネジ孔（図示せず）を取付ブロック２５の取付孔２６と対応させて、ネジ４３で固定することにより、前記ルーペ４１を取付ける。すなわち、前記基部４２の両側に各ルーペ取付具２１がネジ止め固定された状態となる（図９参照）。
【００１７】
また、ライト５１は、その取付けアーム５２がルーペ取付具２１Ａの取付ブロック２５の台座２５ａ，２５ｂを挟むようにして、取付アーム５２に設けたネジ孔（図示せず）を取付ブロック２５の取付孔２６と対応させて、ネジ５３で固定することにより、前記ルーペ取付具２１Ａに取付けられる（図９参照）。なお、前記ルーペ取付具２１Ａは、上述したルーペ取付具２１とほぼ同一構成であるが、取付ブロック２５がルーペ取付具２１とは反対に上部に設けられている点のみが異なる。
【００１８】
ルーペ４１を取付けた各ルーペ取付具２１は、取付具本体２２の左右の突縁２２ａ，２２ｂを基板本体２の左右の保持溝３ａ，３ｂに挿入し、下方にスライドさせて、ボール４を所定の球面状凹部、例えば上から２番目の球面状凹部２３ｂに係止して位置決めする。このスライド及び位置決めに際しては、板バネ６の作用で、ボール４は球面状凹部２３ａ，２３ｂ，２３ｃ，２３ｄ，２３ｅに対して、適宜な力で弾接して突入、離脱を繰り返すものである。そして、ルーペ取付具２１のスライドは、係合凹部２４の上端縁と取付ネジ１２の先端が係合すると阻止され、前記ルーペ取付具２１が取付基板１から抜け落ちることはない。
【００１９】
また、ライト５１を取付けたルーペ取付具２１Ａについても、上述と同様にして、中央の取付基板１に取付けることができる。この際、ルーペ取付具２１Ａの取付ブロック２５は、取付具本体２２の上部に設けているので、基部４２と接触することがなく、円滑なスライド動作がなされる。
【００２０】
なお、本考案は上述の実施形態に限定されるものではなく、例えば、本取付機構１，２１は常に３組を１単位として使用するものではなく、ライト５１を取付けない場合は、２組でよく、また、基部４２の構造によっては、１組の取付機構１，２１でルーペ４１を取付けることも可能である。また、ルーペ取付部２５，２５ａ，２５ｂ，２６の構成は、取付けるべきルーペ４１の基部４２の構造に応じて、適宜変更可能である。
【符号の説明】
【００２１】
１      取付基板
２      基板本体
３ａ，３ｂ      保持溝
４      ボール
５      円孔
６      板バネ
７      凹部
８      ネジ孔
９      固定ネジ
１０      突出部
１１      ネジ筒
１２      取付ネジ
２１，２１Ａ      ルーペ取付具
２２      取付具本体
２３ａ，２３ｂ，２３ｃ，２３ｄ，２３ｅ      球面状凹部
２４      係合凹部
２５      固定ブロック
２６      取付孔
４１      ルーペ
４２      基部
４３，５３      ネジ
５１      ライト
５２      取付アーム
【図１】
0003158148.tif 000003
【図２】
0003158148.tif 000004
【図３】
0003158148.tif 000005
【図４】
0003158148.tif 000006
【図５】
0003158148.tif 000007
【図６】
0003158148.tif 000008
【図７】
0003158148.tif 000009
【図８】
0003158148.tif 000010
【図９】
0003158148.tif 000011
【図１０】
0003158148.tif 000012